(57)【要約】【課題】  消費者の興味を引いて、期待感を高めることができるラベルを提供する。【解決手段】  本発明のラベル１は、シート状のラベル本体２を備え、該ラベル本体２を対象物に巻き付けた状態でラベル本体２の一端側と他端側とが重なるように剥離可能に貼り合わされる。ラベル本体２は、少なくとも何れか一端側に消費者に対する期待度に関する情報を含む期待度表示５が視認可能に設けられている。また、ラベル本体２は、少なくとも何れか他端側に期待度表示５の形態と対応した形態の隠蔽用表示６ａを含む情報表示６が設けられている。少なくとも情報表示６が設けられる領域は、透過性を有している。ラベル１は、ラベル本体２を対象物に巻装した状態で、少なくとも何れか一端側の期待度表示５上に少なくとも何れか他端側の隠蔽用表示６ａが重なるように構成されている。【選択図】図１
2012154962.tif 000002
【特許請求の範囲】
【請求項１】
シート状のラベル本体を備え、該ラベル本体を対象物に巻き付けた状態で前記ラベル本体の一端側と他端側とが重なるように剥離可能に貼り合わされるラベルであって、前記ラベル本体は、少なくとも何れか一端側に消費者に対する期待度に関する情報を含む期待度表示が視認可能に設けられ、少なくとも何れか他端側に前記期待度表示の形態と対応した形態の隠蔽用表示を含む情報表示が設けられ、少なくとも前記情報表示が設けられる領域は、透過性を有し、前記ラベル本体を前記対象物に巻装した状態で、前記少なくとも何れか一端側の前記期待度表示上に前記少なくとも何れか他端側の前記隠蔽用表示が重なるように構成されていることを特徴とするラベル。
【請求項２】
前記ラベル本体は、少なくとも何れか一端側に非透過性の隠蔽部が設けられるとともに、前記期待度表示は、前記隠蔽部上に設けられることを特徴とする請求項１に記載のラベル。
【請求項３】
前記ラベル本体は、一端側に前記期待度表示が設けられ、他端側に情報表示が設けられていることを特徴とする請求項１又は２に記載のラベル。
【請求項４】
前記情報表示は、文字、図形、記号、符号又はそれらの組み合わせによって表示されている請求項１乃至３の何れか一項に記載のラベル。
【請求項５】
前記ラベル本体は、巻き付けた状態で互いに重なる一端側及び他端側の少なくとも何れか一方に、透過性のある接着層が形成されている請求項１乃至４の何れか一項に記載のラベル。
【発明の詳細な説明】
【技術分野】
【０００１】
本発明は、ボトル等の対象物に巻装するラベルに関し、特に、消費者に対する期待度に関する情報を含むラベルに関する。
【背景技術】
【０００２】
従来から、販売促進等の目的で、日用品や食品等の商品（以下、対象物という）に、抽選や、くじ、応募要項等の情報を備えたラベルが提供されている（例えば、特許文献１参照）。
【０００３】
かかるラベルは、シート状のラベル本体を備え、該ラベル本体を対象物に巻き付けた状態でラベル本体の一端側と他端側とが重なるように剥離可能に貼り合わされる。ラベル本体は、一端側に非透過領域が設けられ、他端側に、消費者に対する期待度に関する情報を含む表示（くじ等に関する情報）が視認可能に設けられている。そして、かかるラベルは、対象物に巻装された状態でくじ等に関する表示が非透過領域に覆われて隠蔽され、ラベル本体の一端側を他端側から剥離することで、くじ等に関する表示が露出して、消費者にその内容を認識されるようになっている。
【先行技術文献】
【特許文献】
【０００４】
【特許文献１】特開平９−２１２０９２号公報
【発明の概要】
【発明が解決しようとする課題】
【０００５】
しかしながら、この種のラベルでは、くじ等に関する表示全体が、ラベル本体の非透過領域全体で覆い隠されてしまい、期待感を高める情報を含むことが消費者に認識されにくく、消費者の興味を引きにくいといった問題がある。
【０００６】
そこで、本発明は、斯かる実情に鑑み、消費者の興味を引いて、期待感を高めることができるラベルを提供することを課題とする。
【課題を解決するための手段】
【０００７】
本発明に係るラベルは、シート状のラベル本体を備え、該ラベル本体を対象物に巻き付けた状態で前記ラベル本体の一端側と他端側とが重なるように剥離可能に貼り合わされるラベルであって、前記ラベル本体は、少なくとも何れか一端側に消費者に対する期待度に関する情報を含む期待度表示が視認可能に設けられ、少なくとも何れか他端側に前記期待度表示の形態と対応した形態の隠蔽用表示を含む情報表示が設けられ、少なくとも前記情報表示が設けられる領域は、透過性を有し、前記ラベル本体を前記対象物に巻装した状態で、前記少なくとも何れか一端側の前記期待度表示上に前記少なくとも何れか他端側の前記隠蔽用表示が重なるように構成されていることを特徴とする。
【０００８】
上記構成のラベルによれば、ラベル本体は、少なくとも何れか一端側に消費者に対する期待度に関する情報を含む期待度表示が視認可能に設けられ、少なくとも何れか他端側に期待度表示の形態と対応した形態の隠蔽用表示を含む情報表示が設けられ、ラベル本体を対象物に巻装した状態で、少なくとも何れか一端側の期待度表示上に少なくとも何れか他端側の隠蔽用表示が重なるようになっているため、ラベル本体を対象物に巻装した状態で、期待度表示が隠蔽用表示を含む情報表示によって覆われた状態になる。従って、上記ラベルは、期待度表示が消費者によって視認されることを防止することができる。
【０００９】
また、隠蔽用表示を含む情報表示が期待度表示の形態と対応した形態で設けられているため、情報表示が、消費者に対する期待度に関する情報を含む期待度表示の説明を兼ねることができ、消費者は、情報表示の内容から、期待度表示の内容を認識することができる。従って、上記ラベルは、消費者の興味を引いて、かつ消費者の期待感を高めることができる。
【００１０】
本発明の一態様として、前記ラベル本体は、少なくとも何れか一端側に非透過性の隠蔽部が設けられるとともに、前記期待度表示が前記隠蔽部上に設けられることが好ましい。
【００１１】
対象物に巻装した状態でかかるラベルは、隠蔽用表示と期待度表示とが一致するため、消費者がラベル本体の裏側から期待度表示の内容を認識しにくいが、万全を期すため、上記構成のラベルのように、ラベル本体の少なくとも何れか一端側に非透過性の隠蔽部が設けられるとともに、期待度表示が隠蔽部上に設けられることで、期待度表示がラベル本体の裏側（隠蔽部側）から透けるのをより確実に防止することができる。
【００１２】
本発明の他態様として、前記ラベル本体は、一端側に前記期待度表示が設けられ、他端側に情報表示が設けられていることが好ましい。このようにすることで、対象物に巻装した状態で情報表示が一箇所に配置されるため、混同の生じやすい情報がなく、情報表示を確実に認識することができる。
【００１３】
本発明の別の態様として、前記情報表示は、文字、図形、記号、符号又はそれらの組み合わせによって表示されていることが好ましい。このようにすることで、期待度に関して必要な情報を消費者に訴えることができ、期待感を高める情報を提供できると共に、情報伝達媒体として多くの情報を提供することができる。特に、図形や記号、符号を用いると、見た目に楽しく娯楽性のあるものとなる。そのようにした上で、情報表示が期待度表示を覆うことができ、さらに興味を引いて、期待感を高めることができる。
【００１４】
本発明のさらに別の態様として、前記ラベル本体は、巻き付けた状態で互いに重なる一端側及び他端側の少なくとも何れか一方に、透過性のある接着層が形成されていることが好ましい。
【００１５】
このようにすることで、期待度表示が情報表示によって隠された状態で、消費者は、情報表示側から期待度表示の周辺領域を視認することができ、例えば、期待度表示の周辺領域に模様を設けることで、デザイン性に優れたものとなる。
【発明の効果】
【００１６】
以上のように、本発明のラベルによれば、消費者の興味を引いて、期待感を高めることができるといった優れた効果を奏し得る。
【図面の簡単な説明】
【００１７】
【図１】本発明の一実施形態に係るラベルを対象物に巻装させた状態の斜視図である。
【図２】本発明の一実施形態に係るラベルの正面図である。
【図３】本発明の一実施形態に係るラベルの図２のＡ−Ａ線における概略断面図である。
【図４】本発明の他の実施形態に係るラベルを対象物に巻装させた状態の平面図である。
【発明を実施するための形態】
【００１８】
以下、本発明の一実施形態に係るラベルについて、添付図面を参照して説明する。
【００１９】
図１に示すように、本実施形態に係るラベル１は、対象物３に巻装させるものであり、本実施形態においては、ペットボトル等の容器３に巻装することを対象としている、かかるラベル１は、シート状のラベル本体２を備えている。本実施形態に係るラベル１は、容器３に巻き付けられた状態でラベル本体２の一端側と他端側とが重なるように剥離可能に貼り合わされる。
【００２０】
本実施形態においては、ラベル本体２は、ポリエステルやポリプロピレン等の合成樹脂製の略長方形状の透明性シートで構成されており、図２に示すように、一方の面に、商品名やキャッチコピー等を含む印刷Ｐ（本実施形態においては、「ドリンク」の文字を含むデザイン）が、グラビア印刷や凸版印刷等の一般的な印刷によって設けられる。ここでは、印刷Ｐは、ラベル本体２の一方の端部（他端部）を除いて、ラベル本体２の一方の面に対する印刷で形成されている。
【００２１】
ラベル本体２は、少なくとも何れか一端側に消費者に対する期待度に関する情報を含む期待度表示５が視認可能に設けられている。また、ラベル本体２は、少なくとも何れか他端側に期待度表示５の形態と対応した形態の隠蔽用表示６ａを含む情報表示６が設けられている。そして、ラベル１は、ラベル本体２を容器３に巻装した状態で、少なくとも何れか一端側の期待度表示５上に少なくとも何れか他端側の隠蔽用表示６ａが重なるように構成されている。
【００２２】
本実施形態においては、ラベル本体２は、図２及び図３に示すように、一端側（一端部）に期待度表示５が設けられ、他端側（他端部）に隠蔽用表示６ａを含む情報表示６が設けられている。そして、ラベル１は、は、ラベル本体２を対象物としての容器３に巻装した状態で、一端側の期待度表示５上に他端側の隠蔽用表示６ａが重なるように構成されている。
【００２３】
また、ラベル本体２は、少なくとも何れか一端側に非透過性の隠蔽部４が設けられるとともに、期待度表示５が隠蔽部４上に設けられている。
【００２４】
隠蔽部４は、ラベル本体２の一方の面に対する印刷により形成されている。本実施形態においては、隠蔽部４は、情報表示６を形成する所定範囲の領域（他端部）を除いて形成されている。本実施形態においては、印刷Ｐと隠蔽部４との形成領域が共通していることから、隠蔽部４は印刷Ｐを兼用している。
【００２５】
期待度表示５は、上述のように、ラベル本体２の一端側に設けられ、ラベル本体２の一方の面に対する印刷によって形成されている。本実施形態においては、期待度表示５は、隠蔽部４上にある。また、本実施形態においては、期待度表示５は、図２に示すように、「当り」の文字で表示されている。
【００２６】
情報表示６は、上述のように、ラベル本体２の他端側（他端部）に設けられ、印刷によって形成されている。本実施形態においては、情報表示６は、文字、図形、記号、符号又はそれらの組み合わせによって表示されている。また、本実施形態においては、情報表示６は、図２に示すように、隠蔽用表示６ａとしての「当り」の文字を含む「当りが出ればもう一本」という文字が、表示されている。情報表示６は、ラベル本体２の期待度表示５と同じ面に印刷され、一方の面側では、反転表示されているが、ラベル本体２の裏側（他方の面側）からは通常の文字として見える。本実施形態に係るラベル１は、ラベル本体２を容器３に巻装した状態で容器３に巻き付けられて、ラベル本体２の一端側と他端側とが重なるように貼り合わせた状態で、期待度表示５としての「当り」の文字に隠蔽用表示６ａとしての「当り」の文字が重なるように構成されている。本実施形態においては、情報表示６を設ける領域は、透過性のあるものである。
【００２７】
また、本実施形態においては、少なくとも情報表示６の隠蔽用表示６ａは、期待度表示５よりも太くなるように形成されている。このため、ラベル本体２の一端側と他端側との貼り合わせが多少ずれた場合でも、期待度表示５が隠蔽用表示６ａに隠され、ラベル本体２の一端側と他端側とが貼り合わされた状態では、消費者が期待度表示５を視認できにくくなっている。
【００２８】
また、ラベル本体２は、容器３に巻き付けた状態で互いに重なる一端側及び他端側の少なくとも何れか一方に、透過性のある接着層７が形成されている。本実施形態においては、ラベル本体２の一端側（期待度表示５のある領域）に接着層７が形成されており、ラベル本体２を容器３に巻き付けて、ラベル本体２の一端側と他端側とを互いに重ね合わせた状態で、ラベル本体２の一端側と他端側とを接着層７によって接着できるようになっている。
【００２９】
すなわち、本実施形態においては、ラベル１を容器３に巻き付けた状態で、ラベル本体２の一端側と他端側とが接着層７によって接着され、期待度表示５としての「当り」の文字は、情報表示６側（本実施形態においては、容器３の外側）からは隠蔽用表示６ａとしての「当り」の文字と重なり合うことによって隠されるとともに、非透過性の隠蔽部４側（本実施形態においては、容器３の内側）からは該隠蔽部４によって隠されて、消費者が期待度表示５としての「当り」の文字を視認できないようになっている。また、本実施形態においては、ラベル本体２の一端側と他端側との接着を剥がして剥離することで、隠蔽部４上に設けられた期待度表示５としての「当り」の文字が露出し、期待度表示５が消費者に対して期待度の高いものである場合、消費者が「当り」の文字を視認することができるようになる。
【００３０】
本実施形態に係るラベル１の構成についての説明は以上の通りであり、次に、このように構成されたラベル１の製造方法について説明する。ここでは、ラベル１の全長の長さと同じ幅の長尺シートを用いて印刷する場合について説明する。
【００３１】
まず、透明シート状の長尺シートの何れか一面側に、商品名やキャッチコピー等を印刷する。本実施形態においては、印刷Ｐによって隠蔽部４が形成される。本実施形態においては、印刷Ｐと隠蔽部４とを兼用しているので、１回の印刷で、印刷Ｐと隠蔽部４とが印刷できる。
【００３２】
そして、複数のラベル１（例えば、１００個のラベル１）のうち１つのラベル１に対して、そのラベル１に形成された隠蔽部４に、上述のような一般的な印刷によって、消費者に対する期待度に関する情報を含む期待度表示（本実施形態においては、「当り」の文字）５を形成する。
【００３３】
そして、シート状のラベル１の何れか他端側に、上述のような一般的な印刷によって、期待度表示５の形態と対応した形態の隠蔽用表示６ａを含む情報表示６を形成する。この場合、ラベル本体２の一端側と他端側とが重なるように貼り合わされた状態で、期待度表示５の「当り」の文字上に隠蔽用表示６ａの「当り」の文字が重なるように情報表示６を形成する。そして、ラベル本体２の巻き付けた状態で互いに重なる一端側及び他端側の少なくとも何れか一方に、透過性のある接着層７を形成する。
【００３４】
そして、長尺シートの所定の切断位置を切断することによって、長尺シートの枚葉部分が、ラベル本体２を含むラベル１として形成される。
【００３５】
このようにして形成されたラベル１のラベル本体２を容器３に巻き付けた状態で貼り付ける場合には、まず、ラベル本体２又は容器３に剥離可能な透過性のある接着層を形成して、ラベル本体２を容器３の外周面に巻き付けて、ラベル本体２の中央部付近から各端部に向けて、ラベル１を容器３に接着させてゆく。
【００３６】
そして、ラベル本体２に形成された透過性のある接着層７によってラベル本体２の一端側と他端側とが重なるように貼り付ける。このようにして、ラベル１を容器３に貼着させる。
【００３７】
以上のように、本実施形態に係るラベル１は、シート状のラベル本体２を備え、該ラベル本体２を容器３に巻き付けた状態でラベル本体２の一端側と他端側とが重なるように剥離可能に貼り合わされるラベルであって、ラベル本体２は、少なくとも何れか一端側に消費者に対する期待度に関する情報を含む期待度表示５が視認可能に設けられ、少なくとも何れか他端側に期待度表示５の形態と対応した形態の隠蔽用表示６ａを含む情報表示６が設けられ、少なくとも前記情報表示が設けられる領域は、透過性を有し、ラベル本体２を容器３に巻装した状態で、少なくとも何れか一端側の期待度表示５上に少なくとも何れか他端側の隠蔽用表示６ａが重なるように構成されているため、ラベル本体２を対象物としての容器３に巻装した状態では、期待度表示５が隠蔽用表示６ａを含む情報表示６によって覆われた状態になる。従って、上記ラベル１は、期待度表示５が消費者によって視認されることを防止することができる。
【００３８】
また、隠蔽用表示６ａを含む情報表示６が期待度表示５の形態と対応した形態で設けられているため、情報表示６が、消費者に対する期待度に関する情報を含む期待度表示５の説明を兼ねることができ、消費者は、情報表示６の内容から、期待度表示５の内容を認識することができる。従って、上記ラベル１は、消費者の興味を引いて、かつ消費者の期待感を高めることができる。
【００３９】
また、本実施形態に係るラベル１によれば、ラベル本体２は、少なくとも何れか一端側に非透過性の隠蔽部４が設けられるとともに、期待度表示５が隠蔽部４上に設けられているため、対象物に巻装した状態でかかるラベルは、隠蔽用表示６ａと期待度表示５とが一致するため、消費者がラベル本体２の裏側から期待度表示５の内容を認識しにくいが、万全を期すため、上記構成のラベル１のように、ラベル本体２の少なくとも何れか一端側に非透過性の隠蔽部４が設けられるとともに、期待度表示５が隠蔽部４上に設けられることで、期待度表示５がラベル本体２の裏側（隠蔽部側）から透けるのをより確実に防止することができる。
【００４０】
また、ラベル本体２は、一端側に期待度表示５が設けられ、他端側に情報表示６が設けられているため、対象物としての容器３に巻装した状態で情報表示６が一箇所に配置されるため、混同の生じやすい情報がなく、情報表示６を確実に認識することができる。
【００４１】
また、隠蔽部４の情報表示６は、文字、図形、記号、符号及びそれらの組み合わせによって表示されているため、期待度に関して必要な情報を消費者に訴えることができ、期待感を高める情報を提供できると共に、情報伝達媒体として多くの情報を提供することができる。特に、図形や記号、符号を用いると、見た目に楽しく娯楽性のあるものとなる。そのようにした上で、情報表示６が期待度表示５を覆うことができ、さらに興味を引いて、期待感を高めることができる。
【００４２】
また、ラベル本体２は、巻き付けた状態で互いに重なる一端側及び他端側の少なくとも何れか一方に、透過性のある接着層７が形成されているため、期待度表示５が情報表示６によって隠された状態で、消費者は、情報表示６側から期待度表示５の周辺領域を視認することができ、例えば、期待度表示５の周辺領域に模様を設けることで、デザイン性に優れたものとなる。
【００４３】
なお、本発明は、上記実施形態に限定されるものではなく、本発明の要旨を逸脱しない範囲で適宜変更し得ることは勿論のことである。
【００４４】
上記実施形態においては、ラベル１は、グラビア印刷や凸版印刷等の一般的な印刷によって、ラベル本体２に商品名やキャッチコピー等の文字、図形、記号、符号又はそれらの組み合わせによる印刷Ｐを形成されているが、これに限定されず、例えば、印刷Ｐは、ラベル１に直接印刷されてもよい。また、印刷Ｐは、裏刷りしてもよい。要は、印刷によって形成された文字が、消費者に視認可能なものであればよい。
【００４５】
上記実施形態においては、ラベル本体２の少なくとも何れか一端側に非透過性の隠蔽部４が設けられるとともに、期待度表示５が隠蔽部４上に設けられているが、これに限定されず、例えば、容器３や容器３中の内容物が着色されているような場合等には、容器３や容器３中の内容物によって、期待度表示５がラベル本体２の裏側から透けるのを防止されることができるため、隠蔽部４を設けなくてもよい。ただ、万全を期すため、期待度表示５がラベル本体２の裏側から透けるのをより確実に防止するためには、隠蔽部４を設けることが好ましい。
【００４６】
上記実施形態においては、長尺シートの何れか一面側に、印刷Ｐ及び隠蔽部４用印刷を印刷した後、期待度表示５と情報表示６とを、それぞれ各工程で印刷するようにしたが、これに限定されず、生産効率を考え、例えば、印刷Ｐ及び隠蔽部４用印刷と、情報表示６とを一緒に印刷してもよく、或いは、印刷Ｐ及び隠蔽部４用印刷を印刷した後に、期待度表示５と情報表示６とを一緒に印刷してもよい。
【００４７】
上記実施形態においては、ラベル本体２を容器３に巻装した状態で、ラベル本体２の情報表示６は、隠蔽用表示６ａとしての「当り」の文字が期待度表示５としての「当り」の文字に重なるように構成されているが、これに限定されず、情報表示６は、例えば、「もう一本キャンペーン中」や「もう一本プレゼント中」等の文字、丸印や星型、多角形等の図形、商品名やデザインロゴ等の記号や符号等であってもよく、期待度表示５が隠蔽用表示６ａを含む情報表示６によって覆われることができるとともに、消費者が情報表示６を視認することで、ラベル本体２に消費者に対する期待度に関する情報があることを認識できるものであればよく、この場合も、情報表示６が消費者に対する期待度に関する情報の説明を兼ねていることが好ましい。
【００４８】
上記実施形態においては、隠蔽部４は、情報表示６を形成する所定範囲の領域（一端部）を除いて形成されているが、ラベル１の厚さが薄い場合には、隠蔽部４は、一端部に形成されてもよい。このような場合、隠蔽部４が一端部に形成されても、消費者が消費者に対する期待度に関する情報を視認することができる。
【００４９】
上記実施形態においては、期待度表示５は、一般的な印刷によって、「当り」の文字で表示されているが、これに限定されず、例えば、表示のないものも隠蔽情報として採用することが可能である。すなわち、期待度表示５として何も表示されていない場合に、期待度表示５が、消費者に対して期待度の高い情報であるようにしてもよい。この場合、消費者が何も表示されていない期待度表示５を視認した場合、消費者は、その情報を、一見、消費者に対して期待度の低い情報であると認識するが、消費者が、実際には、その情報が消費者に対して期待度の高い情報であることを認識すると、意外性を感じると共にさらに期待感を高めるようになる。
【００５０】
上記実施形態においては、ラベル本体２は、巻き付けた状態で互いに重なる一端側及び他端側の少なくとも何れか一方に、透過性のある接着層７が形成されているが、これに限定されず、接着層７は、透明性のあるもののみならず、半透明性のものや白濁したものなどであってもよく、消費者が、期待度表示５や情報表示６を視認可能となるものであればよい。
【００５１】
上記実施形態においては、ラベル１のラベル本体２に、一般的な印刷によって、商品名やキャッチコピー等の任意の印刷Ｐを形成した後、ラベル１を容器３に貼り付けるようにしたが、これに限定されず、例えば、ラベル１を容器３に貼り付けた後、ラベル１のラベル本体２に、一般的な印刷によって、商品名やキャッチコピー等の任意の印刷Ｐを形成してもよい。
【００５２】
上記実施形態においては、ラベル１は、１枚のラベル本体２で形成されるようにしたが、これに限定されず、例えば、ラベル１に別のラベル本体２を貼り付けて、ラベル１を構成してもよい。すなわち、ラベル本体２の隠蔽部４を着色された別のラベルで形成してもよい。
【００５３】
上記実施形態においては、ラベル本体２は、期待度表示５、隠蔽用表示６ａを含む情報表示６をそれぞれ一つずつ形成しているが、これに限定されず、例えば、図４に示すように、期待度表示５及び情報表示６がラベル本体２の一端側と他端側の両方に設けられてもよい。なお、説明の都合上、図４においては、ラベル本体２の一端側と他端側とを、少し剥離した状態にしている。
【００５４】
この場合、図４に示すように、ラベル本体２を容器３に巻装すると、ラベル本体２の一端側に設けられた一方の非透過性の隠蔽部４０ａ上に一方の期待度表示５０ａが視認可能に設けられるとともに、一方の期待度表示５０ａと対向するラベル本体２の他端側の領域に、一方の情報表示６０ａが設けられる。そして、消費者は、容器３の内側（図４中の矢印Ａの方向）から情報表示６０ａを視認することができ、消費者は、ラベル本体２の一端側と他端側とを剥離した後、露出された期待度表示５０ａを視認することができる。
【００５５】
また、ラベル本体２の他端側の期待度表示５０ａに隣接する領域に設けられた他方の非透過性の隠蔽部４０ｂ上に他方の期待度表示５０ｂが視認可能に設けられるとともに、他方の期待度表示５０ｂと対向するラベル本体２の一端側の領域であって、一方の隠蔽部４０ａ及び期待度表示５０ａに隣接する領域に、他方の情報表示６０ｂが設けられる。そして、消費者は、容器３の外側（図４中の矢印Ｂの方向）から情報表示６０ｂを視認することができ、消費者は、ラベル本体２の一端側と他端側とを剥離した後、露出された期待度表示５０ｂを視認することができる。
【００５６】
これにより、消費者は、ラベル本体２に設けられた両方の期待度表示５０ａ，５０ｂによって期待感が高められ、もし消費者が一方の期待度表示５０ａ又は５０ｂの結果に満足できない場合でも、消費者は、他方の期待度表示５０ｂ又は５０ａを視認する機会を得ることができ、他方の期待度表示５０ｂ又は５０ａの結果に満足できることがある。
【符号の説明】
【００５７】
１…ラベル、２…ラベル本体、３…容器、４，４０ａ，４０ｂ…隠蔽部、５，５０ａ，５０ｂ…期待度表示、６，６０ａ，６０ｂ…情報表示、６ａ…隠蔽用表示、７…接着層、Ｐ…印刷。
【図１】
2012154962.tif 000003
【図２】
2012154962.tif 000004
【図３】
2012154962.tif 000005
【図４】
2012154962.tif 000006